(57)【要約】本発明は、宝飾リングとその製造方法に係る。本発明の宝飾リングは、第１（２）及び第２（３）のリング、及び摺動リング（４）を有する。該摺動リングは、第１及び第２のリング（２，３）の間において配置され、第１及び第２のリングが可能な限り低い摩擦を有して互いに対して回転可能であるようにする。
2008544780.tif 000002
【特許請求の範囲】
【請求項１】
宝飾リングであって、
・  内側表面範囲を有する第１のリングと、
・  外側表面範囲を有する第２のリングと、
・  少なくとも１つの摺動リングと、
を有し、
前記第１のリングと、前記第２のリングと、前記少なくとも１つの摺動リングは、前記少なくとも１つの摺動リングが前記第１のリングの内側表面範囲と前記第２のリングの外側表面範囲との間において位置決めされるよう、互いに対して同心円状に配置される、
宝飾リング。
【請求項２】
前記第１のリングは、前記第１のリングの内側表面範囲が前記第２のリングの外側表面範囲から対向し且つ前記少なくとも１つの摺動リングによって間隔を離されるよう、前記第２のリングの周囲に配置される、
請求項１記載の宝飾リング。
【請求項３】
少なくとも前記第１のリングは、その内側表面範囲に沿って前記少なくとも１つの摺動リング上で摺動する、
請求項１又は２記載の宝飾リング。
【請求項４】
前記少なくとも１つの摺動リングは、円筒クランプ表面として設計される内周を有し、
前記少なくとも１つの摺動リングは、前記円筒クランプ表面に対向して、凸状に湾曲された摺動表面として設計される外側表面を有する、
請求項１乃至３のうちいずれか一項記載の宝飾リング。
【請求項５】
前記少なくとも１つの摺動リングは、円筒クランプ表面と凸状湾曲摺動表面との間において半径方向に延在する、２つの基本的に平坦壁部を更に有する、
請求項４記載の宝飾リング。
【請求項６】
前記第１のリングの内側表面範囲及び前記第２のリングの外側表面範囲の両方において、少なくとも１つの円形凹部は各々形成され、該凹部へと前記少なくとも１つの摺動リングが係合される、
請求項１乃至５のうちいずれか一項記載の宝飾リング。
【請求項７】
前記第１のリングの内側表面範囲における前記少なくとも１つの凹部は、凹状摺動リング窪み部として設計され、該窪み部へと前記少なくとも１つの摺動リングの前記凸状湾曲摺動表面が少なくとも部分的に係合される、
請求項６記載の宝飾リング。
【請求項８】
前記第２のリングの外側表面範囲における前記少なくとも１つの凹部は、リング溝として設計され、前記少なくとも１つの摺動リングは、該リング溝へと前記平坦壁部を有して少なくとも部分的に係合する、
請求項６又は７記載の宝飾リング。
【請求項９】
前記少なくとも１つの摺動リングは、その円筒クランプ表面を有してリング溝へとクランプされ、その湾曲摺動表面を有してリング溝から突出する、
請求項８記載の宝飾リング。
【請求項１０】
前記リング溝は、半径方向深さ寸法を有し、前記少なくとも１つの摺動リングは、前記リング溝の半径方向深さ寸法より大きい半径方向厚さ寸法を有し、前記少なくとも１つの摺動リングがリング溝から突出するようにする、
請求項８又は９記載の宝飾リング。
【請求項１１】
前記リング溝は、前記第２のリングの外側表面範囲の方向において広がる台形形状を有する、
請求項８乃至１０のうちいずれか一項記載の宝飾リング。
【請求項１２】
前記リング溝の台形形状は、前記少なくとも１つの摺動リングの前記平坦壁部に対して外に向かって半径方向に広がる、
請求項８乃至１１のうちいずれか一項記載の宝飾リング。
【請求項１３】
前記広がりは、半径方向応力の場合、摺動リングがそこで拡張し得るよう設計される、
請求項１２記載の宝飾リング。
【請求項１４】
前記少なくとも１つの摺動リングと前記第１のリングとの間における摺動摩擦の係数は、０．０５より小さい、
請求項１乃至１３のうちいずれか一項記載の宝飾リング。
【請求項１５】
前記少なくとも１つの摺動リングは、テフロン（登録商標）を有して作られる、
請求項１乃至１４のうちいずれか一項記載の宝飾リング。
【請求項１６】
第１のリング及び第２のリングの少なくとも一方は、銀と、金と、プラチナと、真鍮と、ニロスタ鋼、とを有する金属の群からの金属を有して作られる、
請求項１乃至１５のうちいずれか一項記載の宝飾リング。
【請求項１７】
前記第１のリングは、前記内側表面範囲に対する移行部において面取りをされる前方端部を有する、
請求項１乃至１６のうちいずれか一項記載の宝飾リング。
【請求項１８】
内側表面範囲を有する第１のリングと、外側表面範囲を有する第２のリングと、少なくとも１つの摺動リングとを有する宝飾リングの製造方法であって、
・  前記少なくとも１つの摺動リングを前記第２のリングの外側表面範囲上に取り付ける段階と、
・  前記少なくとも１つの摺動リングが前記第１のリングの内側表面範囲と前記第２のリングの外側表面範囲との間において位置決めされるよう、第１のリングと前記少なくとも１つの摺動リングを備えられる第２のリングとの互いへと摺動する段階と、
を有する、
製造方法。
【請求項１９】
取付け段階に先立ち、前記少なくとも１つの摺動リングは、前記第２のリング上に容易に取り付けられるよう、少なくとも１つの場所においてスリットを開けられる、
請求項１８記載の製造方法。
【請求項２０】
前記少なくとも１つの摺動リングの取付けに先立ち、前記第１のリングの内側表面範囲及び前記第２のリングの外側表面範囲の両方において、少なくとも１つの各円形凹部は形成され、前記少なくとも１つの摺動リングは、該凹部の各々へと部分的に係合する、
請求項１８記載の製造方法。
【請求項２１】
前記第２のリングの円形凹部は、外に向かって広がる台形形状を有して設計され、摺動リングは、半径方向応力の場合、そこで拡張し得る、
請求項２０記載の製造方法。
【請求項２２】
前記少なくとも１つの摺動リングの取付けに先立ち、第２のリング及び第１のリングの互いへの摺動中に、円周方向に形成される半径が前記少なくとも１つの摺動リング上へと重なり、且つ前記摺動リングを半径方向に押圧するよう、第１のリングは、前記内側表面に対する移行の範囲における少なくとも１つの前方端部において面取りをされる、
請求項１８記載の製造方法。
【発明の詳細な説明】
【技術分野】
【０００１】
本発明は、一般的に宝飾品の技術分野に係る。特には、本発明は、新しいデザインを有する宝飾リング、及びかかる新しい宝飾リングの製造方法に係る。
【背景技術】
【０００２】
多くのリング装着者は、自分の指の一本に着用している指輪をもてあそぶ必要性又は少なくとも癖を有し、指輪は、着用者によって指の周囲で回転されたり、指上で前後に動かされたりする。しかしながら、しばしば且つ望ましくは（ｏｆｔｅｎ，  ａｎｄ  ｐｒｅｆｅｒａｂｌｙ）品質の低い材料を有する指輪をもてあそんだり気晴らしをしたりするこのような必要性は、結果としてリングの内周及び外周に摩耗を受け易くさせ、コーティングが除去される可能性をもたらす。
【０００３】
更には、例えば、複数の個別のリングを有するリングは既知である。該複数の個別のリングの各々は、相互に巻き付けられ、指上へと共に押し込まれ得る。かかるリングは、カルティエリング（Ｃａｒｔｉｅｒ  ｒｉｎｇ）という名称でカルティエ社によって最初に市場に出された。かかるリングは、その機械的運動特性により指の長さ方向において前後に容易に動かされるため、リング着用者はしばしば該リングをもてあそぶが、同時にそれは、個別のリングに激しい摩耗の形跡（ｓｉｇｎｓ  ｏｆ  ｗｅａｒ）をもたらす。
【発明の開示】
【発明が解決しようとする課題】
【０００４】
多くのリング着用者のもてあそび又は気晴らしの必要性により、また、それに関連付けられる損傷により、徹底的にもてあそばせはする（ｄｏｗｎｒｉｇｈｔ  ｉｎｖｉｔｅｓ  ｔｏ  ｐｌａｙ）が、その工程中に所望されない摩耗の形跡を受けやすくはない、リングは必要とされる。
【課題を解決するための手段】
【０００５】
したがって、本発明は、一方のリングが他方のリングに対して同心円状に位置付けられて両方のリングが互いに対して回転され得るよう、互いへと適合される２つの別個のリングを有するリングを与える、という考えに基づく。かかる回転中の２つのリングの間における所望されない摩擦の発生を防ぐよう、少なくとも１つの摺動リングは、該２つのリング間に挿入され、２つのリングのうち少なくとも一方に対するベアリング表面としての役割を果たし、夫々他方のリングに対して、損傷の形跡を発生させることなくその周囲において回転され得る。
【０００６】
特には、本発明に従ったリングは、内側表面範囲を有する第１の外側リング、外側表面範囲を有する第２の内側リング、及び、少なくとも１つの摺動リングを有し、これらのリングは、少なくとも１つの摺動リングが第１のリングの内側表面範囲と第２のリングの外側表面範囲との間において位置決めされるよう、互いに対して同心円状に配置される。このリングの同心配置を用いて、回転中、第２のリングが第１のリングに接触しないことが保証され得、通常は回転からもたらされる摩耗の形跡が避けられ得るようにされる。実際、第１のリングは、摺動リング上においてその内側表面範囲に沿って摺動し、少なくとも１つの摺動リングと第１のリングとの間の摺動摩擦の小さな係数により、極めて小さな摩耗の形跡のみをもたらす。第１のリングのみが少なくとも１つの摺動リング上で摺動することの代わりに、当然のことながら、第１のリング及び第２のリングの両方が少なくとも１つの摺動リングに対して摺動するよう配置されること、あるいは、第２のリングのみが少なくとも１つの摺動リングに対して摺動運動を行い得ることは、可能である。
【０００７】
第１のリングと第２のリングとの間におけるより大きな摩耗の形跡は、第１のリングの内側表面範囲が第２のリングの外側表面範囲から対向し且つ少なくとも１つの摺動リングによって間隔をあけられるよう、第１のリングを第２のリングの周囲に配置することによって効果的に避けられる。これによって、第１のリングの内側表面範囲と第２のリングの外側表面範囲との間において適切なリングギャップが常に存在し、２つのリングが共にこすれることを防ぐ、ことを保証し得る。当然のことながら、第１のリングはまた、リングギャップが第１のリングの内側表面範囲と少なくとも１つの摺動リングとの間において作られるよう、少なくとも１つの摺動リングを取り囲むが、このリングギャップは、第１のリングと第２のリングとの間におけるリングギャップの約半分のみであり、第１のリングと第２のリングがチルトする場合でも（ｅｖｅｎ  ｉｎ  ｃａｓｅ  ｏｆ  ａ  ｔｉｌｔｉｎｇ）、それらは互いに接触し得ない。かかるチルトを効率的に避けるよう、並びに２つのリングの互いに対する摺動工程を向上させるよう、特に幅広のリングに関して、第１と第２のリングとの間に１つのみより多い摺動リング（例えば２つ、３つ、又はそれより多い摺動リング）を挿入することは有利であり得、所望されない２つのリングのチルトが基本的に避けられる。
【０００８】
第２のリングの外側表面範囲上に少なくとも１つの摺動リングを固く取り付けることができるよう、少なくとも１つの摺動リングは、円筒クランプ表面として設計される内周を有する。本願中に記載される円筒クランプ表面は、摺動リングの内周を意味し、それを用いて少なくとも１つの摺動リングは、少なくとも１つの摺動リングの内径がそれが取り付けられる第２のリングの外側表面範囲の直径より僅かに小さいとすれば、その弾性特性により第２のリングの外側表面範囲上へとクランプする。少なくとも１つの摺動リング上で第１のリングの内側表面範囲が摺動する間にごく小さな摩擦損失を有するよう、少なくとも１つの摺動リングは、円筒クランプ表面に対向して、断面において凸状湾曲摺動表面として設計される外周を有する。摩擦損失の低減に加えて、少なくとも１つの摺動リングの摺動表面のこの凸状湾曲形状は、第１のリングの位置を固定する役割を追加的に果たす。これについては、本願においてより詳細に後述される。
【０００９】
第１及び第２のリングの位置を固定するよう、少なくとも１つの摺動リングは更に、円筒クランプ表面と凸状湾曲摺動表面との間おいて半径方向に延在する２つの平坦壁部を基本的に有する。２つのリング上における大きな軸方向応力の場合、かかる２つの平坦壁部は、第２のリング及び特にはその壁部において形成される凹部に対しておかれる。それに応じて、第１のリングの内側表面範囲はまた、少なくとも１つの円形凹部を有し、少なくとも１つの摺動リングが該円形凹へと係合し、軸方向における位置の固定はまた、第１のリングに対して保証される。
【００１０】
第１のリングと摺動リングとの間における摩擦状態を最善にするよう、第１のリングの内側表面範囲における少なくとも１つの凹部は、凹状摺動リング窪み部として設計される。少なくとも１つの摺動リングの凸状湾曲摺動リング表面は、該窪み部において少なくとも部分的に係合し、適所においてロックし、少なくとも１つの摺動リングの摺動リング表面の凸状湾曲は、第１のリングの内側表面範囲における摺動リング窪み部の外側に続く。
【００１１】
宝飾リングの製造中に第２のリング上へと第１のリングを摺動させる間に、少なくとも１つの摺動リングが第２のリングの外側表面範囲から外れることを防ぐよう、並びに、少なくとも１つの摺動リングが何からの方途により取り外されることを防ぐよう、第２のリングの外側表面範囲における少なくとも１つの凹部は、リング溝として設計される。少なくとも１つの摺動リングは、その平坦壁部を少なくとも部分的に有して該リング溝へと係合する。結果として、少なくとも１つの摺動リングの円筒クランプ表面は、第２のリングのリング溝の基部にあり、凸状湾曲摺動表面は、リング溝から突出し、第２のリングの外側表面範囲を取り囲む。
【００１２】
個別のリングの互いに対するかかる幾何学的関係を永久的に保証するよう、リング溝は、摺動リングの凸状湾曲摺動表面の最も外側の点と円筒クランプ表面との間において測定された、少なくとも１つの摺動リングの半径方向厚さ寸法より小さい半径方向深さ寸法を示す。より詳細に後述される通り、宝飾リングの製造中、第１のリングは第２のリング上へと摺動されるが、工程において、少なくとも１つの摺動リングは、第１のリングの内側表面範囲の凹状凹部へと広がり得るまで半径方向において僅かに押圧されなければならない。この少なくとも１つの摺動リングの半径方向の押圧を可能にするよう、リング溝は、第２のリングの外側表面範囲の方向において広がる台形方向を示し、結果として少なくとも１つの摺動リングは、半径方向応力下で横方向に拡張することができる。特には、リング溝の台形形状は、摺動リングの平坦壁部に対して半径方向外向きに拡張し、該リングがリング溝において少ない負担を有して拡張し得るようにする。
【００１３】
少なくとも１つの摺動リングと第１のリングとの間の摩擦損失を可能な限り小さく維持するよう、少なくとも１つの摺動リングに対する材料は、少なくとも１つの摺動リングと第１のリングとの間における摺動リング摩擦の係数が可能な限り小さいよう選択されるべきである。特には、摺動摩擦の係数は、０．０５より小さいべきである。かかる低い摺動摩擦の係数は、少なくとも１つの摺動リングがテフロン（登録商標）（ＰＴＦＥ）を有して作られる場合に特に保証され得る。テフロン（登録商標）から少なくとも１つの摺動リングを作ると、この場合では本発明に従った宝飾リングが侵略的な環境状態にもさらされ得るという、更なる有利な効果を伴う。かかる侵略的な環境状態とは、例えば塩水、特定の酸及び塩基であり、概してテフロン（登録商標）はかかる問題に対して抵抗性がある。摺動リングをテフロン（登録商標）から作ることの更なる利点は、テフロン（登録商標）が自己潤滑特性を有することであり、摺動リングと第１のリングとの間の摺動接合部は、潤滑油をさされる必要はない。
【００１４】
円周方向に、少なくとも１つの摺動リングが凸状摺動表面を有する第２のリングの外側表面範囲から突出する半径方向に突出し、第１のリングがその上へと押されて半径方向の負荷を受けるため、第１のリング及び第２のリングはいずれも、かかる応力に対して基本的に敏感ではない金属を有して作られるべきである。特には、金、銀、プラチナ、チタン、真鍮、及びニロスタ鋼（Ｎｉｒｏｓｔａ  ｓｔｅｅｌ）を有する金属の群からの金属を有して第１及び／又は第２のリングを作ることは、有利である。
【００１５】
摺動リングを工程において損傷することなく第１及び第２のリングを互いへと摺動させ得るよう、少なくとも１つの摺動リングにおいて、半径は、第１のリングの前方端部まで内側表面範囲の移行部において延在するよう形成される。そのようにして、円錐形に広がるフェーズ状半径（ｐｈａｓｅ−ｌｉｋｅ  ｒａｄｉｕｓ）は、第２のリングの外側表面範囲にわたって少なくとも１つの摺動リングの突出部分上へと重なる役割を果たす一方、２つのリングの入れ子化（ｎｅｓｔｉｎｇ）を容易にするよう、摺動リングが半径方向に押圧され、第２のリング上へと第１のリングを摺動させる。
【００１６】
本発明の他の態様によれば、内側表面範囲を有する第１のリング、外側表面範囲を有する第２のリング、及び少なくとも１つの摺動リングを有する宝飾リングの製造方法が、提案される。かかる３つの個別の構成要素を互いに対して同心円状に配置することができて、少なくとも１つの摺動リングが第１のリングの内側表面範囲と第２のリングの外側表面範囲との間において位置決めされるよう、まず、少なくとも１つの摺動リングは、第２のリングの外側表面範囲上に取り付けられ、続いて少なくとも１つの摺動リングを備えられる第２のリング上へと第１のリングを摺動させることができるようにする。
【００１７】
望ましい一実施例に従って少なくとも１つの摺動リングがテフロン（登録商標）（ＰＴＦＥ）を有して作られ、結果として小さな伸張を受け得るのみであるため、少なくとも１つの摺動リングは、取付けに先立って、第２のリング上への取付けを容易にするよう少なくとも１つの場所においてスリットを開けられる。
【００１８】
第１と第２のリングとの間の位置の固定を保証するよう、少なくとも１つの摺動リングの取付けに先立ち、第１のリングの内側表面範囲及び第２のリングの外側表面範囲の両方において、少なくとも各々１つの円形凹部が形成され、少なくとも１つの摺動リングは、該凹部の各々へと部分的に係合する。したがってかかる凹部は、少なくとも１つの摺動リングが基本的には全体的に円周方向に収容されるよう設計され、互いに対する２つのリングの軸方向運動が基本的に排除される。
【００１９】
前述から明らかとなった通り、少なくとも１つの摺動リングは、その外部の周辺凸摺動表面を有して第２のリングの外側表面範囲から僅かに突出し、第１のリングの第２のリング上への摺動をより難しくする。しかしながら、少なくとも１つの摺動リングを損傷することなく、また第１のリングが第２のリング上への摺動する間第２のリングの外側表面範囲におけるリング溝から摺動リングが押し出される危険性を有することなく、少なくとも１つの摺動リングの取付けに先立ち、第１のリングは、内側表面範囲に対するその移行の範囲における少なくとも１つの前方端部において面取りをされ、周囲に形成される半径が少なくとも１つの摺動リング上へと重なる一方で、第２及び第１のリングを互いへと摺動させるようにし、摺動リングが半径方向に押圧される。
【発明を実施するための最良の形態】
【００２０】
以下において、本発明は、単に典型的である２つの実施例を図面を参照してより詳細に説明される。
【００２１】
図面中、同一又は同様の構成部品は、同一の参照符号を有して示される。
【００２２】
図１において断面で示される宝飾リング１は、基本的には、第１のリング２、第２のリング３、及び摺動リング４を有する。第１のリング２、第２のリング３、及び摺動リング４は、第１のリング２が第２のリング３及び摺動リング４を円周方向に取り囲むよう、互いに対して同心円状に配置される。摺動リング４は、同様に、第２のリング３を円周方向に取り囲み、摺動リング４が第１のリング２の内側表面範囲と第２のリング３との間に位置決めされるようにする。断面で見ると、摺動リング４は、円筒クランプ表面７を有し、円筒クランプ表面７は、適合された状態において、宝飾リング１の中心に向かって面する。
【００２３】
クランプ表面７から、２つの基本的に平坦な壁部９は、半径方向外向きに延在し、凸状湾曲摺動表面８があとに続き、摺動リング４が事実上トンネル形状の断面を有するようにする。第１のリング２が可能な限り小さい摩擦損失を有して摺動リング４の凸状摺動表面上を摺動し得るよう、摺動リング４は、第１のリング２に対して大変小さい摺動摩擦係数のみを有する摺動材料を有するため、摺動リング４は、望ましくはテフロン（登録商標）（ＰＴＦＥ）を有して作られる。
【００２４】
第１のリング２は、その内側表面範囲において、ここで示される例においては凸状湾曲摺動リング窪み部６として設計される円形凹部を有する。その右前方部１０上において、あるいは、右前方部１０から第１のリング２の内側表面範囲までの間の移行範囲において、第１のリング２は、円形のフェーズ部１１を有する。言い換えれば、右前方部１０と内側表面範囲との間における移行範囲は、面取りをされる。半径矢印（Ｒ０、２）によって示される。この面取りをされた円形部分１１の有利な効果は、リングの組立てに関連付けられてより詳細に後述される。
【００２５】
第２のリング３はまた、その外側表面範囲において凹部を有する。該凹部は、台形のリング溝５として設計され、その外側壁範囲は半径方向外向きに広がる。
【００２６】
第１のリング２及び第２のリング３はいずれも、例えば銀、ホワイトゴールド又はイエローゴールド（７５０カラット）、プラチナ、チタン、真鍮、又はニロスタ鋼等である金属を有して作られる。
【００２７】
望ましくは、リング２，３はいずれも、同一の材料を有して作られるが、当然のことながら、２つのリング２，３が異なる材料を有して作られる場合には特別な審美的影響も発生し得る。
【００２８】
図１中に見られ得る通り、２つのリング２，３は、中空の円筒形ボディであるが、その前方表面は、平らには終端せず、波形であり、第１のリング２が第２のリング３に対して回転される場合に特に審美的影響に繋がり得る。
【００２９】
摺動リング４は、２つのリング２，３の間に挿入され、２つのリング２，３が回転の際に互いに対してこすられない。摺動リング４は、摺動リング４のクランプ表面７がリング溝５のリング溝基部に対してクランプするよう、台形リング溝５において押し込まれる（ｗｅｄｇｅｄ）。摺動リング４の平坦壁部は、リング溝５において延在し、台形リング溝５の壁部は、平坦壁部９から半径方向外向きに離れる。摺動リング４は、第２のリング３のリング溝５から凸状湾曲摺動表面８の形状における外部円周を有して突出し、第１のリングの摺動リング窪み部６において凸状湾曲摺動表面８の一部分に割り込む。
【００３０】
図１から分かり得る通り、湾曲リングギャップＲＳ１は、摺動リング４の凸状湾曲摺動表面８と摺動リング窪み部６との間において延在し、第１のリング２が摺動リング４又は第２のリング３に対して容易に回転し得る。リング２，３，４の大きさは、リングギャップＲＳ２がまた第１のリング２と第２のリング３との間にもたらされるよう、寸法を採られるため、回転の場合、第１のリング２及び第２のリング３は、互いに対して接触し得ない。リング２，３，４の寸法は、リングギャップＲＳ１がリングギャップＲＳ２より小さいように採られる。望ましくは、リングギャップＲＳ１は内側幅０．１ｍｍを有し、リングギャップＲＳ２は内側幅０．２ｍｍを有する。
【００３１】
摺動リング４がテフロン（登録商標）（ＰＴＦＥ）等である比較的低伸張性材料を有して作られるため、取付けに対して、摺動リング４は、少なくとも１つの場所においてスリットを開けられ、摺動リング４がリング溝５へと続いて適合されるよう僅かに曲げられ得る。摺動リング４の半径方向厚さ寸法がリング溝５の半径方向深さ寸法より大きいため、摺動リング４は、リング溝５から突出し、宝飾リング１の組立て中、摺動リング４は、第１のリング２が摺動され得るよう半径方向に押圧される必要がある。半径方向における化ある摺動リング４の押圧を容易にするよう、第１のリング２は、上述された内側表面範囲と右前方端部１０との間における移行部において円半径（ｃｉｒｃｕｌａｒ  ｒａｄｉｕｓ）１１を備えられ、第１のリング２の摺動中、半径１１は、摺動リングが半径１１の押込み動作を用いて半径方向に押圧されるよう、摺動リング４の凸状湾曲摺動表面８上へと重なる。当然のことながら摺動リング４がかかる半径方向押圧中に他の方向においてずれ（ｇｉｖｅ  ｗａｙ  ｉｎ  ａｎｏｔｈｅｒ  ｄｉｒｅｃｔｉｏｎ）なければならないため、台形リング溝５は、角度記号によって示される通り、摺動リング４の平坦壁部９に対して直線状に広がる。そのようにして、半径方向押圧の場合、摺動リング５は、かかるウェッジ形範囲へと横方向にずれ得、第１のリング２は、摺動リング４を与えられる第２のリング３上へと容易に摺動され得る。
【００３２】
図２において、宝飾リング１は、図示され、その構造において図１を参照して説明される宝飾リング１と基本的に同等である。しかしながら、図１とは異なり、図２中の宝飾リング１は、より大きな幅を有する。そのため、互いに間隔を離される２つの摺動リング４は、第１のリング２と第２のリング３との間において挿入され、第２のリング３に対する第１のリング２のチルトは、避けられる。図２中に示される実施例において、第２の摺動リング４の位置付けは、リング溝５及び摺動リング窪み部６の形成に一致するため、ここでは、前に与えられた説明が単純に参照される。
【００３３】
図２中に示される幅広の宝飾リングに対する代替として、例えば、１つの幅広の第１のリングを与える代わりに、２つのより狭いリングの形状における２つの部分を有する第１のリング２を設計することは可能であり、かかる２つのより狭いリングは、互いに無関係に第２のリングの周囲に回転され得る。
【図面の簡単な説明】
【００３４】
【図１】摺動リングを有する本発明に従った幅の狭いリングの上方半分の断面図である。
【図２】２つの摺動リングを有する本発明に従った幅広のリングの上方半分の断面図である。
【図１】
2008544780.tif 000003
【図２】
2008544780.tif 000004
【国際調査報告】
2008544780.tif 000005
2008544780.tif 000006
2008544780.tif 000007
2008544780.tif 000008
2008544780.tif 000009
2008544780.tif 000010